(57)【要約】【課題】デジタル専用線を利用して会議通話を行っている場合に、一方の構内交換装置側の内線端末にて通話相手先となる他方の構内交換装置側の内線端末の会議状態を確認し得る。【解決手段】内線端末Ｔ１１にてデジタル専用線ＰＮ１−２を使用した会議通話の実行要求が発生した場合に、要求元となる内線端末Ｔ１１を収容した構内交換装置ＥＸ１から会議通話相手先となる構内交換装置ＥＸ２に対し、デジタル専用線ＰＮ１−２中のＤチャネルを介して送受信すべく既存の制御信号を利用して会議状態通知情報を通知する。そして、通知された会議状態通知情報を、通話相手先となる構内交換装置ＥＸ２の記憶部に記憶し、内線端末Ｔ２１のＬＣＤに、通話相手先の構内交換装置ＥＸ１側の内線端末Ｔ１１が会議状態である旨、会議状態にある内線端末Ｔ１１，Ｔ１２，Ｔ１３のＤＮ情報を表示する。【選択図】    図３
2004172672.tif 000002
【特許請求の範囲】
【請求項１】
終端に会議通話を行うための会議通話機能を有する内線端末を接続できる少なくとも１つの内線を収容し、該内線に対し所定の交換処理を行なう構内交換装置を２以上備え、これら複数の構内交換装置相互間を情報チャネルと制御チャネルとを備えたデジタル専用線を介して接続し、前記会議通話機能により複数の内線端末間で前記構内交換装置及び前記デジタル専用線を選択的に経由して会議通話を行うデジタル交換ネットワークシステムであって、
前記複数の構内交換装置の少なくとも１つに設けられ、前記複数の内線端末のうちの少なくとも１つにて前記デジタル専用線を使用した会議通話の実行要求が発生した際に、要求元となる内線端末を収容した構内交換装置から会議通話相手先となる構内交換装置に対し、前記デジタル専用線中の制御チャネルを介して送受信すべく制御信号中に、会議通話状態の旨、会議状態にある内線端末の識別情報を含む会議状態通知情報を挿入して送信する情報送信手段と、
前記複数の構内交換装置の少なくとも１つに設けられ、受信した制御信号中に前記会議状態通知情報が挿入されていた場合に、該会議状態通知情報を記録媒体に記録する情報記録手段とを具備したことを特徴とするデジタル交換ネットワークシステム。
【請求項２】
前記会議状態通知情報の受信側となる構内交換装置に収容された内線端末が表示器を有するとき、
前記構内交換装置は、前記記録媒体に記録された前記会議状態通知情報に基づいて、前記内線端末の表示器に表示すべく会議情報を作成し、該会議情報を該表示器に表示させる表示制御手段をさらに具備したことを特徴とする請求項１記載のデジタル交換ネットワークシステム。
【請求項３】
前記情報送信手段は、会議通話を行う内線端末の数の変化に応じて、新たな会議状態通知情報を制御信号中に挿入して送信し、
前記情報記録手段は、新たな会議状態通知情報を受信した場合に、記録媒体上の会議状態通知情報を受信した会議状態通知情報に更新することを特徴とする請求項１記載のデジタル交換ネットワークシステム。
【請求項４】
前記表示制御手段は、前記記録媒体上の会議状態通知情報が更新されるごとに、前記表示器に表示される会議情報を更新することを特徴とする請求項２記載のデジタル交換ネットワークシステム。
【請求項５】
前記表示制御手段は、会議通話状態にある全内線端末の識別情報と会議通話の要求元となる内線端末のみの識別情報とを指示に応じて選択的に表示器に表示することを特徴とする請求項２記載のデジタル交換ネットワークシステム。
【請求項６】
前記情報記録手段は、前記記録媒体に記録すべく内線端末の識別情報の数を所定数に規制することを特徴とする請求項１記載のデジタル交換ネットワークシステム。
【請求項７】
終端に会議通話を行うための会議通話機能を有する内線端末を接続できる少なくとも１つの内線を収容し、該内線に対し所定の交換処理を行なう構内交換装置を２以上備え、これら複数の構内交換装置相互間を情報チャネルと制御チャネルとを備えたデジタル専用線を介して接続し、前記会議通話機能により前記複数の内線端末間で前記構内交換装置及び前記デジタル専用線を選択的に経由して会議通話を行うデジタル交換ネットワークシステムで使用される構内交換装置であって、
前記複数の内線端末のうちの少なくとも１つにて前記デジタル専用線を使用した会議通話の実行要求が発生した際に、会議通話相手先となる他方の構内交換装置に対し、前記デジタル専用線中の制御チャネルを介して送受信すべく制御信号中に、会議通話状態の旨、会議状態にある内線端末の識別情報を含む会議状態通知情報を挿入して送信する情報送信手段と、
受信した制御信号中に前記会議状態通知情報が挿入されていた場合に、該会議状態通知情報を記録媒体に記録する情報記録手段とを具備したことを特徴とする構内交換装置。
【請求項８】
前記内線端末が表示器を有するとき、
前記記録媒体に記録された前記会議状態通知情報に基づいて、前記内線端末の表示器に表示すべく会議情報を作成し、該会議情報を該表示器に表示させる表示制御手段をさらに具備したことを特徴とする請求項７記載の構内交換装置。
【請求項９】
終端に会議通話を行うための会議通話機能を有する内線端末を接続できる少なくとも１つの内線を収容し、該内線に対し所定の交換処理を行なう構内交換装置を２以上備え、これら複数の構内交換装置相互間を情報チャネルと制御チャネルとを備えたデジタル専用線を介して接続し、前記会議通話機能により前記複数の内線端末間で前記構内交換装置及び前記デジタル専用線を選択的に経由して会議通話を行うデジタル交換ネットワークシステムで使用される会議状態通知方法であって、
前記デジタル専用線を使用した会議通話の実行要求が発生した際に、要求元となる内線端末を収容した構内交換装置から会議通話相手先となる構内交換装置に対し、前記デジタル専用線中の制御チャネルを介して送受信すべく制御信号中に、会議通話状態の旨、会議状態にある内線端末の識別情報を含む会議状態通知情報を挿入して送信する過程と、
会議通話相手先となる構内交換装置において、要求元の構内交換装置から受信した制御信号中に前記会議状態通知情報が挿入されているか否かを判定する過程と、
前記制御信号中に前記会議状態通知情報が挿入されている場合に、該会議状態通知情報を記録媒体に記録する過程とを具備したことを特徴とする会議状態通知方法。
【発明の詳細な説明】
【０００１】
【発明の属する技術分野】
この発明は、例えばデジタル専用線を介して複数の構内交換装置間を接続し、このデジタル専用線を使用して構内交換装置間で会議通話を行うデジタル交換ネットワークシステム及びこのデジタル交換ネットワークで使用される構内交換装置及びその会議状態通知方法に関する。
【０００２】
【従来の技術】
ネットワークシステムは、例えば複数の支店や営業所を有する企業内において、各支店または営業所にそれぞれＰＢＸ（Ｐｒｉｖａｔｅ  Ｂｒａｎｃｈ  Ｅｘｃｈａｎｇｅ）またはボタン電話主装置といった構内交換装置を設置してこれらの構内交換装置間を専用線を介して接続したものである。この種のシステムでは、各構内交換装置ごとに内線間通信や公衆網等の局線発着信を行なえることは勿論のこと、異なる構内交換装置間での内線通信や異なる構内交換装置を経由した局線発着信を行なうことができる。
【０００３】
また、この種のシステムでは、特定の内線端末から他の内線または専用線の話者を招集し、三者以上の会議通話を行うサービスも提唱されている（例えば特許文献１参照）。なお、会議通話については、構内交換装置に接続される内線端末間で行うものがある（例えば特許文献２及び特許文献３）。また、ＩＳＤＮ網に接続される端末間で行うものもある（例えば特許文献４）。
【０００４】
ところで、構内交換装置間を専用線を介して接続したネットワークシステムにおいて、構内交換装置Ａの内線端末Ａａを主催者として、自ノード内の内線端末Ａｂ，内線端末Ａｃで会議を構成し、他ノードとして構内交換装置Ｂの内線端末Ｂａを会議に加えたとする。この場合に、内線端末ＡａのＬＣＤ（Ｌｉｑｕｉｄ  Ｃｒｙｓｔａｌ  Ｄｉｓｐｌａｙ）には、自ノード内の内線端末Ａａ，Ａｂ，ＡｃのＤＮ情報（内線番号）と、回線番号（専用線番号）または他ノードの内線端末ＢａのＤＮ情報の計４つの情報が表示されることになる。
【０００５】
しかし、内線端末ＢａのＬＣＤには、専用線経由で他ノードの相手と２者通話を行っているのと同じであり、回線番号または主催者となる内線端末ＡａのＤＮ情報しか表示することができず、他ノードの内線端末Ａａが会議を行っていることがわからない。さらに、ノードが複数あった場合、全体で何者会議になっているかを判別することができない。
【０００６】
【特許文献１】
特開平６−２３７３０３号公報。
【０００７】
【特許文献２】
特表２０００−５１２１０９号公報。
【０００８】
【特許文献３】
特開平６−６４７０号公報。
【０００９】
【特許文献４】
特開平４−１０７４２号公報。
【００１０】
【発明が解決しようとする課題】
以上のように、構内交換装置間を専用線を介して接続したネットワークシステムにおいては、専用線を使用した会議通話を行っている際に、相手側の構内交換装置の内線端末が会議を行っているか否かを判断することができないという問題を有している。
【００１１】
この発明の目的は、構内交換装置間をデジタル専用線を介して接続したシステムにあって、デジタル専用線を利用して会議通話を行っている場合に、一方の構内交換装置側の内線端末にて通話相手先となる他方の構内交換装置側の内線端末の会議状態を確認し得るデジタル交換ネットワークシステム、構内交換装置及び会議状態通知方法を提供することにある。
【００１２】
【課題を解決するための手段】
この発明は、上記目的を達成するために、以下のように構成される。
（１）終端に会議通話を行うための会議通話機能を有する内線端末を接続できる少なくとも１つの内線を収容し、該内線に対し所定の交換処理を行なう構内交換装置を２以上備え、これら複数の構内交換装置相互間を情報チャネルと制御チャネルとを備えたデジタル専用線を介して接続し、会議通話機能により複数の内線端末間で構内交換装置及びデジタル専用線を選択的に経由して会議通話を行うデジタル交換ネットワークシステムであって、複数の内線端末のうちの少なくとも１つにてデジタル専用線を使用した会議通話の実行要求が発生した際に、要求元となる内線端末を収容した構内交換装置から会議通話相手先となる構内交換装置に対し、デジタル専用線中の制御チャネルを介して送受信すべく制御信号中に、会議通話状態の旨、会議状態にある内線端末の識別情報を含む会議状態通知情報を挿入して送信する情報送信手段と、受信した制御信号中に会議状態通知情報が挿入されていた場合に、該会議状態通知情報を記録媒体に記録する情報記録手段とを備えるようにしたものである。
【００１３】
（１）の発明によれば、デジタル専用線を使用した会議通話の実行要求が発生した際に、要求元となる一方の構内交換装置から会議通話相手先となる他方の構内交換装置に対し、デジタル専用線中の制御チャネルを介して送受信すべく既存の制御信号を利用して会議状態通知情報を通知することが可能となる。このため、会議状態を通知するための専用の信号ラインを新たに設ける必要がなく、これにより簡単に実施できる利点がある。また、通知された会議状態通知情報は、通話相手先となる構内交換装置に設けられた記録媒体に保持される。このため、新たに情報管理装置及び接続ユニットを用意することなく、記録媒体に保持された会議状態通知情報に基づいて通話相手先の構内交換装置における会議状態を管理することができる。
【００１４】
（２）会議状態通知情報の受信側となる内線端末が表示器を有するとき、構内交換装置は、記録媒体に記録された会議状態通知情報に基づいて、内線端末の表示器に表示すべく会議情報を作成し、この会議情報を該表示器に表示させる表示制御手段をさらに具備したことを特徴とする。
（２）の発明によれば、内線端末の表示器に、通話相手先の構内交換装置側の内線端末が会議状態であり、会議状態にある内線端末の識別情報が表示されるので、話者は表示器を見て通話相手先の会議状態を認識することができる。
【００１５】
（３）情報通信手段は、会議通話を行う内線端末の数の変化に応じて、新たな会議状態通知情報を制御信号中に挿入して送信し、情報記録手段は、新たな会議状態通知情報を受信した場合に、記録媒体上の会議状態通知情報を受信した会議状態通知情報に更新することを特徴とする。また、表示制御手段は、記録媒体上の会議状態通知情報が更新されるごとに、表示器に表示される会議情報を更新することを特徴とする。
（３）の発明によれば、通話相手先の構内交換装置側において会議通話を行う内線端末の数が変化するごとに、その更新データを常にタイムリーに取得することができる。
【００１６】
（４）表示制御手段は、会議通話状態にある全内線端末の識別情報と会議通話の要求元となる内線端末のみの識別情報とを指示に応じて選択的に表示器に表示することを特徴とする。
（４）の発明によれば、例えば表示画面がせまい場合には、画面内に多くの情報を表示すると見づらくなる。このため、話者の選択により、会議通話状態にある全内線端末の識別情報と会議通話の主催者となる内線端末の識別情報とを選択的に表示できるようにすれば、話者は見やすい画面で会議状態を確認できるようになる。
【００１７】
（５）情報記録手段は、記録媒体に記録すべく内線端末の識別情報の数を所定数に規制することを特徴とする。
（５）の発明によれば、記録媒体の記憶容量を少なくした上で、会議状態通知情報を保持することができる。
【００１８】
【発明の実施の形態】
以下、この発明の実施形態について図面を参照して詳細に説明する。
図１は、この発明に係るデジタル交換ネットワーク保守システムの一実施形態を示す概略構成図である。
【００１９】
このシステムは、同図に示すように、構内交換装置ＥＸ１１〜ＥＸ１５を備え、これら構内交換装置ＥＸ１１〜ＥＸ１５相互間を通信チャネル（Ｂｃｈ）及び制御チャネル（Ｄｃｈ）を有するデジタル専用線ＰＮ（ＰＮ１−２，ＰＮ１−３，ＰＮ１−５，ＰＮ２−３，ＰＮ２−４，ＰＮ３−４，ＰＮ３−５）で接続している。これら構内交換装置ＥＸ１１〜ＥＸ１５は、それぞれ内線端末Ｔ１１〜Ｔ１ｉ，Ｔ２１〜Ｔ２ｊ，Ｔ３１〜Ｔ３ｏ，Ｔ４１〜Ｔ４ｋ，Ｔ５１〜Ｔ５ｍを内線を介して収容している。また、構内交換装置ＥＸ１１，ＥＸ１４は公衆網ＮＷ１，ＮＷ２に局線Ｌを介して接続されている。なお、上記それぞれ内線端末Ｔ１１〜Ｔ１ｉ，Ｔ２１〜Ｔ２ｊ，Ｔ３１〜Ｔ３ｏ，Ｔ４１〜Ｔ４ｋ，Ｔ５１〜Ｔ５ｍは、送受話器と、フック機構と、ダイヤルキー群と、選択キー群とを備えており、この選択キー群には「会議キー」が割り当てられている。
【００２０】
会議キーは、例えば内線端末Ｔ１１を主催者とした場合に、会議通話の開催時における子局としての内線端末Ｔ１２の呼出しや、会議通話中における内線端末Ｔ１２の切断等を行わせるために使用されるものである。
【００２１】
次に、上記構内交換装置ＥＸ１１〜ＥＸ１５の具体的構成について図２を参照して詳細に説明する。なお、ここでは、構内交換装置ＥＸ１１を代表して説明する。
【００２２】
構内交換装置ＥＸ１１は、局線インタフェースユニット１１と、内線インタフェースユニット１２と、デジタル専用線インタフェースユニット１３と、制御ユニット１４とを備え、これらは音声バス１５及び制御バス１６を介して相互に接続されている。
【００２３】
局線インタフェースユニット１１には、局線Ｌが必要に応じて接続される。局線インタフェースユニット１１は、接続された局線Ｌに関する局線インタフェース動作を行なう。局線インタフェース動作とは、公衆網ＮＷへの発信信号の送信や公衆網ＮＷからの着信信号の検出などである。また、局線インタフェースユニット１１は、上記局線インタフェース動作に係わる種々の制御情報の授受を、制御バス１６を介して制御ユニット１４との間で行なう。
【００２４】
内線インタフェースユニット１２には、複数の内線が必要に応じて接続される。内線インタフェースユニット１２は、接続された内線に関する内線インタフェース動作を行なう。内線インタフェース動作は、各内線への着信信号の送出や各内線からの発信信号の検出などである。また、内線インタフェースユニット１２は、上記内線インタフェース動作に係わる種々の制御情報の授受を、制御バス１６を介して制御ユニット１４との間で行なう。
【００２５】
デジタル専用線インタフェースユニット１３には、デジタル専用線ＰＮが必要に応じて接続される。デジタル専用線インタフェースユニット１３は、接続されたデジタル専用線ＰＮに関するデジタル専用線インタフェース動作を行なう。デジタル専用線インタフェース動作は、デジタル専用線ＰＮへの発信信号の送信やデジタル専用線ＰＮからの着信信号の検出などである。また、デジタル専用線インタフェースユニット１３は、上記デジタル専用線インタフェース動作に係わる種々の制御情報の授受を、制御バス１６を介して制御ユニット１４との間で行なう。
【００２６】
制御ユニット１４は、サブ制御部１４１と、主制御部１４２と、記憶部１４３と、タイムスイッチ１４４とを備える。このうち、サブ制御部１４１、主制御部１４２及び記憶部１４３はマイコンバス１４５を介して相互に接続されている。タイムスイッチ１４４は、主制御部１４２に直接接続されている。
【００２７】
サブ制御部１４１は、制御バス１６とマイコンバス１４５との間での制御情報の授受を行なう。主制御部１４２は、記憶部１４３に記憶された制御プログラム及び制御データに基づいて、構内交換装置ＥＸ１内の全体の制御を実行する。記憶部１４３は、主制御部１４２が処理を実行するための制御プログラムや制御データを記憶するものであり、特に交換動作の際の各種データ等が記憶される。
【００２８】
タイムスイッチ１４４は、主制御部１４２の指示に従い、上記局線インタフェースユニット１１と、内線インタフェースユニット１２と、デジタル専用線インタフェースユニット１３との間で音声バス１５を介して伝送されるデジタル信号のチャネル交換を行なう。
【００２９】
ところで、この実施形態では、主制御部１４２に会議情報送信機能１４２ａ、会議情報記録機能１４２ｂ及び表示制御機能１４２ｃが設けられている。
【００３０】
会議情報送信機能１４２ａは、デジタル専用線ＰＮを介して内線端末Ｔ１１と内線端末Ｔ２１とが通話している状態で、例えば主催者となる内線端末Ｔ１１にて他の内線端末Ｔ１２，Ｔ１３を通話に加えた場合に、他方の構内交換装置ＥＸ１２側の内線端末Ｔ２１に対し、ＱＳＩＧで定義される制御信号中に、会議通話状態の旨、会議状態にある内線端末Ｔ１１，Ｔ１２，Ｔ１３のＤＮ情報を含む会議状態通知情報を挿入して送信する。
【００３１】
また、会議情報送信機能１４２ａは、会議通話を行う内線端末Ｔ１１，Ｔ１２，Ｔ１３の数を監視しており、数の増減に応じて、新たな会議状態通知情報を制御信号中に挿入して送信する。
【００３２】
会議情報記録機能１４２ｂは、受信した制御信号中に会議状態通知情報が挿入されていた場合に、この会議状態通知情報を記憶部１４３に記憶する。なお、記憶部１４３に記憶すべく端末数を所定数に規制する。
【００３３】
表示制御機能１４２ｃは、内線端末Ｔ１１，Ｔ１２，Ｔ１３がそれぞれＬＣＤを有するとき、記憶部１４３に記憶された会議状態通知情報に基づいて、ＬＣＤに表示すべく会議情報を作成し、この会議情報を各内線端末Ｔ１１，Ｔ１２，Ｔ１３のＬＣＤに表示させる。なお、表示制御機能１４２ｃは、内線端末Ｔ１１，Ｔ１２，Ｔ１３上の機能キー／ソフトキー等で割り付けられた「会議情報表示」のキーが押下されることにより、会議通話状態にある全端末のＤＮ情報と会議通話の主催者となる端末のＤＮ情報とを選択的にＬＣＤに表示する。
【００３４】
次に、以上のように構成されたシステムの動作について説明する。
（ノード１１における会議通話）
例えば、図３に示すように構内交換装置ＥＸ１１に収容される内線端末Ｔ１１（ＤＮ：２０００）と内線端末Ｔ１２（ＤＮ：２００１）との間で通話が行なわれているものとする。
【００３５】
この状態で、内線端末Ｔ１１において話者が、内線端末Ｔ１３及び構内交換装置ＥＸ１２に収容された内線端末Ｔ２１の招集を要求する操作を行ったとする。そうすると、内線端末Ｔ１１からその要求信号が構内交換装置ＥＸ１１に送られる。この要求信号を受信すると構内交換装置ＥＸ１１は、内線端末Ｔ１３を呼び出して内線端末Ｔ１１に接続するとともに、構内交換装置ＥＸ１２に対し要求信号を送信する。このときこの要求信号は、ＱＳＩＧで定義されているＦａｃｉｌｉｔｙ情報領域に、会議通話状態の旨、会議状態にある内線端末Ｔ１１，Ｔ１２，Ｔ１３のＤＮ情報を含む会議状態通知情報を挿入することにより送られる。
【００３６】
これに対し構内交換装置ＥＸ１２は、構内交換装置ＥＸ１１からの要求信号を受信すると、内線端末Ｔ２１を呼び出すとともに、要求信号のＦａｃｉｌｉｔｙ情報領域に会議状態通知情報が挿入されているか否かを判定する。これに対し内線端末Ｔ２１が応答すると、構内交換装置ＥＸ１２は、内線端末Ｔ１１と内線端末Ｔ２１との間に通信リンクを形成するとともに、会議状態通知情報が挿入されている場合に、この会議状態通知情報を記憶部１４３に記憶する。
【００３７】
かくして、内線端末Ｔ２１のＬＣＤには、要求に応じて、図４（ａ）に示すように会議通話状態の旨、会議状態にある内線端末Ｔ１１，Ｔ１２，Ｔ１３のＤＮ情報が表示されることになり、これにより、話者は会議状態であることを確認できる。
【００３８】
その後、例えば会議メンバーである内線端末Ｔ１３（ＤＮ：２００２）が終話し、会議メンバー数が変化したとする。この場合構内交換装置ＥＸ１１は、要求信号のＦａｃｉｌｉｔｙ情報領域に会議メンバー数が変化した旨を示す会議状態通知情報を挿入し、この要求信号を構内交換装置ＥＸ１２へ送信する。
【００３９】
構内交換装置ＥＸ１２は、要求信号を受信すると、先ずこの信号のＦａｃｉｌｉｔｙ情報領域に会議状態通知情報が挿入されているか否かを判定する。そして、会議状態通知情報が挿入されていれば、当該情報の内容に従い、記憶部１４３上の会議メンバー数を新たな会議メンバー数に書き替えるとともに、図４（ｂ）に示すように内線端末Ｔ２１のＬＣＤの表示内容も新たな会議メンバー数に変更する。
【００４０】
（ノード１２における会議通話）
例えば、図５に示すように構内交換装置ＥＸ１１（ノード１１）に収容される内線端末Ｔ１１（ＤＮ：２０００），内線端末Ｔ１２（ＤＮ：２００１），内線端末Ｔ１３（ＤＮ：２００２）と構内交換装置ＥＸ１２（ノード１２）に収容される内線端末Ｔ２１（ＤＮ：２０００）との間で会議通話が行なわれているものとする。
【００４１】
この状態で、内線端末Ｔ２１において話者が、構内交換装置ＥＸ１２に収容された内線端末Ｔ２２の招集を要求する操作を行ったとする。そうすると、内線端末Ｔ２１からその要求信号が構内交換装置ＥＸ１２に送られる。この要求信号を受信すると構内交換装置ＥＸ１２は、内線端末Ｔ２２を呼び出して内線端末Ｔ２１に接続するとともに、構内交換装置ＥＸ１１に対し要求信号を送信する。このときこの要求信号は、Ｆａｃｉｌｉｔｙ情報領域に、会議通話状態の旨、会議状態にある内線端末Ｔ１１，Ｔ１２，Ｔ１３，Ｔ２１，Ｔ２２のＤＮ情報を含む会議状態通知情報を挿入することにより送られる。
【００４２】
これに対し構内交換装置ＥＸ１１は、構内交換装置ＥＸ１２からの要求信号を受信すると、要求信号のＦａｃｉｌｉｔｙ情報領域に会議状態通知情報が挿入されているか否かを判定する。そして、会議状態通知情報が挿入されている場合に、構内交換装置ＥＸ１１はこの会議状態通知情報を記憶部１４３に記憶する。
【００４３】
かくして、内線端末Ｔ１１のＬＣＤには、要求に応じて、図６に示すように会議通話状態の旨、会議状態にある内線端末Ｔ１２，Ｔ１３，Ｔ２１，Ｔ２２のＤＮ情報が表示されることになり、これにより、話者は会議状態であることを確認できる。また、内線端末Ｔ１２，Ｔ１３のＬＣＤにも、会議通話状態の旨及び会議メンバー情報が表示される。
【００４４】
（ノード１３を加えた際の会議通話）
例えば、図５に示すように構内交換装置ＥＸ１１（ノード１１）に収容される内線端末Ｔ１１（ＤＮ：２０００），内線端末Ｔ１２（ＤＮ：２００１），内線端末Ｔ１３（ＤＮ：２００２）と構内交換装置ＥＸ１２（ノード１２）に収容される内線端末Ｔ２１（ＤＮ：２０００），内線端末Ｔ２２（ＤＮ：２００１），内線端末Ｔ２３（ＤＮ：２００２）との間で会議通話が行なわれているものとする。
【００４５】
この状態で、内線端末２１において話者が、構内交換装置ＥＸ１３に収容された内線端末Ｔ３１の招集を要求する操作を行ったとする。そうすると、内線端末Ｔ２１からその要求信号が構内交換装置ＥＸ１２に送られる。この要求信号を受信すると構内交換装置ＥＸ１２は、構内交換装置ＥＸ１３に対し要求信号を送信する。このときこの要求信号は、Ｆａｃｉｌｉｔｙ情報領域に、会議通話状態の旨、会議状態にある内線端末Ｔ１１，Ｔ１２，Ｔ１３，Ｔ２１，Ｔ２２，Ｔ２３のＤＮ情報を含む会議状態通知情報を挿入することにより送られる。
【００４６】
これに対し構内交換装置ＥＸ１３は、構内交換装置ＥＸ１２からの要求信号を受信すると、内線端末Ｔ３１を呼び出すとともに、要求信号のＦａｃｉｌｉｔｙ情報領域に会議状態通知情報が挿入されているか否かを判定する。これに対し内線端末Ｔ３１が応答すると、構内交換装置ＥＸ１３は、内線端末Ｔ２１と内線端末Ｔ３１との間に通信リンクを形成するとともに、会議状態通知情報が挿入されている場合に、この会議状態通知情報を記憶部１４３に記憶する。
【００４７】
以後、構内交換装置ＥＸ１２は、構内交換装置ＥＸ１１に対し要求信号を送信する。このときこの要求信号は、Ｆａｃｉｌｉｔｙ情報領域に、会議通話状態の旨、会議状態にある内線端末Ｔ１１，Ｔ１２，Ｔ１３，Ｔ２１，Ｔ２２，Ｔ２３，Ｔ３１のＤＮ情報を含む会議状態通知情報を挿入することにより送られる。
【００４８】
また、内線端末Ｔ３１において話者が、構内交換装置ＥＸ１３に収容された内線端末Ｔ３２，Ｔ３３の招集を要求する操作を行ったとする。そうすると、内線端末Ｔ３１からその要求信号が構内交換装置ＥＸ１３に送られる。この要求信号を受信すると構内交換装置ＥＸ１３は、内線端末Ｔ３２，Ｔ３３を呼び出して内線端末Ｔ３１に接続するとともに、構内交換装置ＥＸ１１，ＥＸ１２に対し要求信号を送信する。このときこの要求信号は、Ｆａｃｉｌｉｔｙ情報領域に、会議通話状態の旨、会議状態にある内線端末Ｔ１１，Ｔ１２，Ｔ１３，Ｔ２１，Ｔ２２，Ｔ２３，Ｔ３１，Ｔ３２，Ｔ３３のＤＮ情報を含む会議状態通知情報を挿入することにより送られる。
【００４９】
これに対し構内交換装置ＥＸ１１は、構内交換装置ＥＸ１３からの要求信号を受信すると、要求信号のＦａｃｉｌｉｔｙ情報領域に会議状態通知情報が挿入されているか否かを判定する。そして、会議状態通知情報が挿入されている場合に、構内交換装置ＥＸ１１はこの会議状態通知情報を記憶部１４３に記憶する。
【００５０】
ところで、内線端末Ｔ１１のＬＣＤには、図８（ａ）に示すように、「１２２０００」の後に「＊」が付されて表示されていることにより、構内交換装置ＥＸ１２の内線端末Ｔ２１が会議状態であることが確認できる。その後、内線端末Ｔ１１の機能キーに割り付けてある「会議情報表示」のキーを押下されると、構内交換装置ＥＸ１１は記憶部１４３に記憶されている会議状態通知情報を参照し、図８（ｂ）に示すように、会議メンバーの情報を内線端末Ｔ１１のＬＣＤに表示する。
【００５１】
なお、上記表示内容については、「１２」はノード番号、括弧内の先頭ＤＮが構内交換装置ＥＸ１２内の会議主催者、「＋」以降のＤＮは会議メンバーを示す。「１３２０００＊」の表示は、構内交換装置ＥＸ１２から構内交換装置ＥＸ１３の内線端末Ｔ３１に会議を行い、内線端末Ｔ３１は会議中であることを示す。
【００５２】
（会議通話中における構内交換装置内の処理動作）
ところで、上記会議通話中に構内交換装置ＥＸ１１の主制御部１４２は、図９に示す制御処理を行う。
【００５３】
デジタル専用線ＰＮを使用した会議要求が発生すると（ステップＳＴ９ａ）、主制御部１４２は通話相手先のノードに送信すべく会議状態通知情報を作成し（ステップＳＴ９ｂ）、この会議状態通知情報を通話相手先のノードに対し送信すべく要求信号中のＦａｃｉｌｉｔｙ情報領域に挿入して送信する（ステップＳＴ９ｃ）。
【００５４】
続いて、会議メンバーに変更があるか否かの判断を行い（ステップＳＴ９ｄ）、変更があった場合に（Ｙｅｓ）、新たな会議メンバーの情報に基づいて上記ステップＳＴ９ｂ乃至ステップＳＴ９ｄの処理を実行する。
【００５５】
一方、会議メンバーの変更がなく（Ｎｏ）、会議通話が終了したならば（Ｎｏ）、主制御部１４２は処理を終了し、会議通話が続いているならば（Ｙｅｓ）、上記ステップＳＴ９ｂ乃至ステップＳＴ９ｅの処理を繰り返し実行する。
【００５６】
なお、上記ステップＳＴ９ａにおいて、デジタル専用線ＰＮを使用した会議要求でなければ（Ｎｏ）、主制御部１４２は通常の制御処理を実行する。
【００５７】
一方、会議状態通知情報を受信した際に、構内交換装置ＥＸ１１の主制御部１４２は、図１０に示す制御処理を実行する。
【００５８】
まず、主制御部１４２は、受信した要求信号のＦａｃｉｌｉｔｙ情報領域に会議状態通知情報が挿入されているか否かの判断を行い（ステップＳＴ１０ａ）、挿入されているならば（Ｙｅｓ）、記憶部１４３上の会議メンバー数と受信した会議状態通知情報に含まれる会議メンバー数の合計が所定数以下であるか否かの判断を行い（ステップＳＴ１０ｂ）、所定数以下であるならば（Ｙｅｓ）、記憶部１４３の記憶内容を受信した会議状態通知情報に書き替える（ステップＳＴ１０ｃ）。
【００５９】
続いて、主制御部１４２は、会議情報の表示要求があるか否かの判断を行い（ステップＳＴ１０ｄ）、表示要求がある場合に（Ｙｅｓ）、要求元の内線端末Ｔ１１の「会議情報表示」のキーを押下されたか否かの判断を行う（ステップＳＴ１０ｅ）。そして、押下されていれば（Ｙｅｓ）、主制御部１４２は要求元の内線端末Ｔ１１のＬＣＤに全会議メンバーの情報を表示する（ステップＳＴ１０ｆ）。
【００６０】
一方、「会議情報表示」のキーが押下されていなければ（Ｎｏ）、主制御部１４２は要求元の内線端末Ｔ１１のＬＣＤに会議の主催者の情報のみを表示する（ステップＳＴ１０ｇ）。
【００６１】
また、上記ステップＳＴ１０ｂにおいて、会議メンバー数の合計が所定数を超えているならば（Ｎｏ）、主制御部１４２は新たに受信した会議状態通知情報を破棄する（ステップＳＴ１０ｈ）。また、上記ステップＳＴ１０ｄにおいて、要求元の内線端末Ｔ１１のＬＣＤが会議情報を表示している状態にある場合には、更新された記憶部１４３の情報に自動的に更新される。
【００６２】
また、上記ステップＳＴ１０ａにおいて、会議状態通知情報を受信しない場合には（Ｎｏ）、主制御部１４２は通常の制御処理を実行する。
【００６３】
以上のように上記実施形態によれば、内線端末Ｔ１１からジタル専用線ＰＮ１−２を使用した会議通話の実行要求が発生した場合に、要求元となる内線端末Ｔ１１を収容した構内交換装置ＥＸ１から会議通話相手先となる構内交換装置ＥＸ２に対し、デジタル専用線ＰＮ１−２中のＤチャネルを介して送受信すべく既存の制御信号を利用して会議状態通知情報を通知することが可能となる。このため、会議状態を通知するための専用の信号ラインを新たに設ける必要がなく、これにより簡単に実施できる。また、通知された会議状態通知情報は、通話相手先となる構内交換装置ＥＸ２の記憶部１４３に記憶され、内線端末Ｔ２１のＬＣＤに、通話相手先の構内交換装置ＥＸ１側の内線端末Ｔ１１が会議状態であり、会議状態にある内線端末Ｔ１１，Ｔ１２，Ｔ１３のＤＮ情報が表示されることになる。このため、話者は内線端末Ｔ２１のＬＣＤを見て通話相手先の会議状態を認識することができる。
【００６４】
また、上記実施形態によれば、通話相手先の構内交換装置ＥＸ１側において会議通話を行う内線端末の数が変化するごとに、その更新された会議状態通知情報が通話相手先となる構内交換装置ＥＸ１２に通知されるので、内線端末Ｔ２１の話者は、ＬＣＤ上で更新された会議状態通知情報を常にタイムリーに見ることができる。
【００６５】
また、上記実施形態において、例えば内線端末Ｔ２１のＬＣＤ表示画面がせまい場合には、画面内に多くの情報を表示すると見づらくなる。このため、話者の選択により、会議通話状態にある全内線端末のＤＮ情報と会議通話の主催者となる内線端末のＤＮ情報とを選択的に表示できるようにすれば、話者は見やすい画面で会議状態を確認できるようになる。
【００６６】
さらに、構内交換装置ＥＸ２において、受信した会議状態通知情報に含まれる会議メンバー数と記憶部１４３上の会議メンバー数の合計が所定数を超える場合に、受信した会議状態通知情報を破棄するようにしているので、記憶部１４３の記憶容量を少なくした上で、会議状態通知情報を保持することができるようになる。
【００６７】
なお、この発明は上記実施形態に限定されるものではない。例えば、ＬＣＤを備えない内線端末であっても同様に実施可能である。この場合、構内交換装置内の記憶部に通知された会議状態通知情報を記憶しておき、プリンタ等により帳票出力すれば、新たな情報管理装置及び接続ユニットを用意することなく、通話相手先の構内交換装置における会議状態を管理することができる。
【００６８】
その他、構内交換装置の構成や種類、内線端末の種類、表示器の種類、会議状態通知制御及び会議状態表示制御の各々の手順とその内容等についても、この発明の要旨を逸脱しない範囲で種々変形して実施できる。
【００６９】
【発明の効果】
以上詳述したようにこの発明によれば、構内交換装置間をデジタル専用線を介して接続したシステムにあって、デジタル専用線を利用して会議通話を行っている場合に、一方の構内交換装置側の内線端末にて通話相手先となる他方の構内交換装置側の内線端末の会議状態を確認し得るデジタル交換ネットワークシステム、構内交換装置及び会議状態通知方法を提供することができる。
【図面の簡単な説明】
【図１】この発明に係るデジタル交換ネットワークシステムの一実施形態を示す概略構成図。
【図２】図１に示した構内交換装置の具体的構成を示すブロック図。
【図３】図１に示したシステムにおいて、会議状態通知動作の一例を説明するためのシーケンス図。
【図４】図３に示す会議状態通知動作により、会議状態通知情報を受信した構内交換装置側の内線端末の表示画面の一例を示す図。
【図５】図１に示したシステムにおいて、会議状態通知動作の他の例を説明するためのシーケンス図。
【図６】図５に示す会議状態通知動作により、会議状態通知情報を受信した構内交換装置側の内線端末の表示画面の一例を示す図。
【図７】図１に示したシステムにおいて、多数のノードが会議状態となった場合の会議状態通知動作の一例を説明するためのシーケンス図。
【図８】図７に示す会議状態通知動作により、会議状態通知情報を受信した構内交換装置側の内線端末の表示画面の一例を示す図。
【図９】図２に示した主制御部の会議状態通知情報送信時の制御処理動作を説明するために示すフローチャート。
【図１０】図２に示した主制御部の会議状態通知情報受信時の制御処理動作を説明するために示すフローチャート。
【符号の説明】
１１…局線インタフェースユニット、
１２…内線インタフェースユニット、
１３…デジタル専用線インタフェースユニット、
１４…制御ユニット、
１５…音声バス、
１６…制御バス、
１４１…サブ制御部、
１４２…主制御部、
１４３…記憶部、
１４４…タイムスイッチ、
１４５…マイコンバス、
１４２ａ…会議情報送信機能、
１４２ｂ…会議情報記録機能、
１４２ｃ…表示制御機能、
ＥＸ１１〜ＥＸ１５…構内交換装置、
Ｔ１１〜Ｔ１ｉ，Ｔ２１〜Ｔ２ｈ，Ｔ３１〜Ｔ３ｏ，Ｔ４１〜Ｔ４ｋ，Ｔ５１〜Ｔ５ｍ…内線端末、
ＰＮ（ＰＮ１−２，ＰＮ１−３，ＰＮ１−５，ＰＮ２−３，ＰＮ２−４，ＰＮ３−４，ＰＮ３−５）…デジタル専用線、
ＮＷ１，ＮＷ２…公衆網。
【図１】
2004172672.tif 000003
【図２】
2004172672.tif 000004
【図３】
2004172672.tif 000005
【図４】
2004172672.tif 000006
【図５】
2004172672.tif 000007
【図６】
2004172672.tif 000008
【図７】
2004172672.tif 000009
【図８】
2004172672.tif 000010
【図９】
2004172672.tif 000011
【図１０】
2004172672.tif 000012